(57)【要約】【課題】正確に電圧検出手段の異常を検出することができる異常検出装置を提供する。【解決手段】低圧系ＣＰＵ３０が、電圧検出回路１１〜１ｍに対応するブロックＢ1〜Ｂmを構成する単位セルＣ11〜Ｃmnのうち一つの両端電圧を検出させ、該検出させた各両端電圧のバラツキが電圧検出回路１１〜１ｍの検出精度によって決定される許容誤差以上のとき電圧検出回路１１〜１ｍの異常を検出する。【選択図】図１
2008108591.tif 000002
【特許請求の範囲】
【請求項１】
二次電池から成る単位セルが複数直列接続された組電池を複数に分割した各ブロック毎に対応して設けられると共に前記対応するブロックを構成する単位セルの両端電圧を検出する複数の電圧検出手段と、該複数の電圧検出手段が検出した単位セルの両端電圧に基づいて前記電圧検出手段の異常を検出する異常検出手段とを備えた異常検出装置において、
前記異常検出手段が、前記複数の電圧検出手段の各々に前記対応するブロックを構成する単位セルのうち一つの両端電圧を検出させ、該検出させた各両端電圧のバラツキが前記電圧検出手段の検出精度によって決定される閾値以上のとき前記電圧検出手段の異常を検出するものである
ことを特徴とする異常検出装置。
【請求項２】
イグニッションのオフに応じて前記複数の電圧検出手段によって検出された前記各単位セルの両端電圧に基づいて前記単位セルの両端電圧を均等化させる均等化手段が備えられ、そして、
前記異常検出手段が、前記イグニッションのオンに応じて前記複数の電圧検出手段の各々に前記対応するブロックを構成する単位セルのうち一つの両端電圧を検出させるものである
ことを特徴とする請求項１に記載の異常検出装置。
【請求項３】
前記異常検出手段が、同時に前記複数の電圧検出手段の各々に前記対応するブロックを構成する単位セルのうち一つの両端電圧を検出させるものであることを特徴とする請求項１又は２に記載の異常検出装置。
【請求項４】
前記複数の電圧検出手段の一つと前記異常検出手段との間に設けられた第１通信ラインと、該第１通信ライン上に設けられ前記複数の電圧検出手段の一つと前記異常検出手段との間を絶縁した状態で接続する絶縁インタフェースと、前記複数の電圧検出手段の一つと前記複数の電圧検出手段の残りとの間に設けられた第２通信ラインとが備えられ、
前記異常検出手段が、前記第１通信ライン及び前記絶縁インタフェースを介して前記対応するブロックを構成する単位セルのうち一つの両端電圧を検出させる検出命令を前記複数の電圧検出手段の一つに送信するものであり、
前記複数の電圧検出手段の一つが、前記検出命令に応じて前記第２通信ラインを介して前記電圧検出手段の残りに対して同期信号を送信するものであり、そして、
前記他の電圧検出手段が、前記同期信号の送信に応じて前記対応するブロックを構成する単位セルのうち一つの両端電圧を検出するものである
ことを特徴とする請求項３記載の異常検出装置。
【発明の詳細な説明】
【技術分野】
【０００１】
本発明は、異常検出装置に係り、特に、二次電池から成る単位セルが複数直列接続された組電池を複数に分割した各ブロック毎に対応して設けられると共に前記対応するブロックを構成する単位セルの両端電圧を検出する複数の電圧検出手段と、該複数の電圧検出手段が検出した単位セルの両端電圧に基づいて前記電圧検出手段の異常を検出する異常検出手段とを備えた異常検出装置に関するものである。
【背景技術】
【０００２】
従来、上述した異常検出装置として、特許文献１に記載された組電池の電圧検出装置が提案されている。この組電池の電圧検出装置は、複数の電圧検出回路（＝電圧検出手段）と、総電圧検出回路と、コントローラ（＝異常検出手段）とを備えている。複数の電圧検出回路は、組電池を複数に分割した各ブロック毎に対応して設けられる。複数の電圧検出回路は、対応するブロックを構成する単位セルの両端電圧を検出する回路である。
【０００３】
総電圧検出回路は、組電池の両端電圧を検出する回路である。複数の電圧検出回路の各々とコントローラとの間には通信ラインが設けられ、複数の電圧検出回路の各々とコントローラとの通信が可能になっている。また、総電圧検出回路とコントローラとの間にも通信ラインが設けられ、総電圧検出回路とコントローラとの通信が可能になっている。
【０００４】
コントローラは、複数の電圧検出回路が検出した全単位セルの両端電圧の総和から求めた組電池の両端電圧と、総電圧検出回路が検出した組電池の両端電圧とを比較することにより、電圧検出回路の異常を検出するものである。
【０００５】
【特許文献１】特開２００３−２４３０４４号公報
【特許文献２】特開２０００−７４７８６号公報
【発明の開示】
【発明が解決しようとする課題】
【０００６】
しかしながら、上述した組電池の電圧検出装置では、複数の電圧検出回路が検出した全単位セルの両端電圧の総和を求めている。このため、例えば単位セルの数が８０とすると、上記総和から求めた組電池の最大検出誤差は、一つの電圧検出回路の検出誤差の８０倍になる。
【０００７】
そして、８０倍の検出誤差を含む全単位セルの両端電圧の総和から求めた組電池の両端電圧と総電圧検出回路が検出した組電池の両端電圧とを比較することとなり、精度良く比較する事が困難である。また、単位セルの数が多くなると全ての単位セルの両端電圧を検出している間に、組電池の電圧が車両条件によって変化してしまうと上記比較は精度良く行うことができない。これにより、正確に複数の電圧検出回路の異常を検出することができないという問題があった。
【０００８】
そこで、本発明は、上記のような問題点に着目し、正確に電圧検出手段の異常を検出することができる異常検出装置を提供することを課題とする。
【課題を解決するための手段】
【０００９】
上記課題を解決するためになされた請求項１記載の発明は、二次電池から成る単位セルが複数直列接続された組電池を複数に分割した各ブロック毎に対応して設けられると共に前記対応するブロックを構成する単位セルの両端電圧を検出する複数の電圧検出手段と、該複数の電圧検出手段が検出した単位セルの両端電圧に基づいて前記電圧検出手段の異常を検出する異常検出手段とを備えた異常検出装置において、前記異常検出手段が、前記複数の電圧検出手段の各々に前記対応するブロックを構成する単位セルのうち一つの両端電圧を検出させ、該検出させた各両端電圧のバラツキが前記電圧検出手段の検出精度によって決定される閾値以上のとき前記電圧検出手段の異常を検出するものであることを特徴とする異常検出装置に存する。
【００１０】
請求項１記載の発明によれば、異常検出手段が、複数の電圧検出手段の各々に対応するブロックを構成する単位セルのうち一つの両端電圧を検出させ、該検出させた各両端電圧のバラツキが電圧検出手段の検出精度によって決定される閾値以上のとき電圧検出手段の異常を検出するので、同程度の精度誤差を含む各両端電圧同士を比較することにより電圧検出手段の異常を検出することができる。
【００１１】
請求項２記載の発明は、イグニッションのオフに応じて前記複数の電圧検出手段によって検出された前記各単位セルの両端電圧に基づいて前記単位セルの両端電圧を均等化させる均等化手段が備えられ、そして、前記異常検出手段が、前記イグニッションのオンに応じて前記複数の電圧検出手段の各々に前記対応するブロックを構成する単位セルのうち一つの両端電圧を検出させるものであることを特徴とする請求項１に記載の異常検出装置に存する。
【００１２】
請求項２記載の発明によれば、均等化手段がイグニッションのオフに応じて複数の電圧検出手段が検出した各単位セルの両端電圧に基づいて単位セルの両端電圧を均等化させ、異常検出手段が、イグニッションのオンに応じて複数の電圧検出手段の各々に対応するブロックを構成する単位セルのうち一つの両端電圧を検出させる。従って、イグニッションオフ時に単位セルの両端電圧の均等化が行われ、イグニッションオン時は単位セルの両端電圧は概ね均等であるため、このときの検出された各両端電圧のバラツキは電圧検出手段の異常によるものと判断できる。
【００１３】
請求項３記載の発明は、前記異常検出手段が、同時に前記複数の電圧検出手段の各々に前記対応するブロックを構成する単位セルのうち一つの両端電圧を検出させるものであることを特徴とする請求項１又は２に記載の異常検出装置に存する。
【００１４】
請求項３記載の発明によれば、異常検出手段が、同時に複数の電圧検出手段の各々に対応するブロックを構成する単位セルのうち一つの両端電圧を検出させるものであるので、同じタイミングで検出された単位セルの両端電圧同士を比較することができる。
【００１５】
請求項４記載の発明は、前記複数の電圧検出手段の一つと前記異常検出手段との間に設けられた第１通信ラインと、該第１通信ライン上に設けられ前記複数の電圧検出手段の一つと前記異常検出手段との間を絶縁した状態で接続する絶縁インタフェースと、前記複数の電圧検出手段の一つと前記複数の電圧検出手段の残りとの間に設けられた第２通信ラインとが備えられ、前記異常検出手段が、前記第１通信ライン及び前記絶縁インタフェースを介して前記対応するブロックを構成する単位セルのうち一つの両端電圧を検出させる検出命令を前記複数の電圧検出手段の一つに送信するものであり、前記複数の電圧検出手段の一つが、前記検出命令に応じて前記第２通信ラインを介して前記電圧検出手段の残りに対して同期信号を送信するものであり、そして、前記他の電圧検出手段が、前記同期信号の送信に応じて前記対応するブロックを構成する単位セルのうち一つの両端電圧を検出するものであることを特徴とする請求項３記載の異常検出装置に存する。
【００１６】
請求項４記載の発明によれば、異常検出手段が第１通信ライン及び絶縁インタフェースを介して対応するブロックを構成する単位セルのうち一つの両端電圧を検出させる検出命令を複数の電圧検出手段の一つに送信し、複数の電圧検出手段の一つが検出命令に応じて第２通信ラインを介して電圧検出手段の残りに対して同期信号を送信し、他の電圧検出手段が同期信号の送信に応じて対応するブロックを構成する単位セルのうち一つの両端電圧を検出するので、異常検出手段と全ての電圧検出手段との間に第１通信ライン、絶縁インタフェースを設けなくても、異常検出手段と電圧検出手段の一つの間に第１通信ライン、絶縁インタフェースを設けるだけで、各電圧検出手段が同時に対応する単位セルのうち一つの両端電圧を検出することができる。
【発明の効果】
【００１７】
以上説明したように請求項１記載の発明によれば、同程度の精度誤差を含む各両端電圧同士を比較することにより電圧検出手段の異常を検出することができるので、正確に電圧検出手段の異常を検出することができる。
【００１８】
請求項２記載の発明によれば、イグニッションオフ時に単位セルの両端電圧の均等化が行われ、イグニッションオン時は単位セルの両端電圧は概ね均等であるため、このときの検出された各両端電圧のバラツキは電圧検出手段の異常によるものと判断でき、より正確に電圧検出手段の異常を検出することができる。
【００１９】
請求項３記載の発明によれば、同じタイミングで検出された単位セルの両端電圧同士を比較することができ、より正確に電圧検出手段の異常を検出することができる。
【００２０】
請求項４記載の発明によれば、異常検出手段と全ての電圧検出手段との間に第１通信ライン、絶縁インタフェースを設けなくても、異常検出手段と電圧検出手段の一つの間に第１通信ライン、絶縁インタフェースを設けるだけで、各電圧検出手段が同時に対応する単位セルのうち一つの両端電圧を検出することができ、構成が簡単となりコストダウンを図ることができる。
【発明を実施するための最良の形態】
【００２１】
以下、本発明の一実施の形態を図面に基づいて説明する。図１は本発明の異常検出装置を組み込んだ組電池の電圧検出装置の一実施の形態を示すブロック図である。図中引用符号ＢLは低圧バッテリ（車載低圧バッテリ）である。低圧バッテリＢLは、図１に示すように、例えば一つの二次電池から構成されている。低圧バッテリＢLは、エンジンを始動するスタータＳｔの動作電源として用いられ、その両端にはオルタネータ等が必要に応じて充電器として接続される。
【００２２】
また、図中引用符号ＢHは組電池としての高圧バッテリである。上記高圧バッテリＢHは、エンジンと電動モータＭを走行駆動源として併用するＨＥＶにおいて前記電動モータＭの電源として用いられ、その両端には電動モータＭが必要に応じて負荷として接続されると共にオルタネータ等（図示せず）が必要に応じて充電器として接続される。
【００２３】
高圧バッテリＢHは、ｍ個（ｍは任意の整数）のブロックＢ1〜Ｂmに分けられている。各ブロックＢ1〜Ｂmはそれぞれｎ個（ｎは任意の整数）の単位セルＣ11〜Ｃmnから構成されている。単位セルＣ11〜Ｃmnはそれぞれｘ個（ｘは任意の整数）の二次電池から構成されている。
【００２４】
電圧検出装置は、電圧検出手段としての複数の電圧検出回路１１〜１ｍと異常検出手段としての低圧系ＣＰＵ３０とを備えている。低圧系ＣＰＵ３０は、低圧バッテリＢLからの電源供給を受けて動作する。電圧検出回路１１〜１ｍは、各ブロックＢ1〜Ｂm毎に対応して設けられている。電圧検出回路１１〜１ｍは、複数のブロックＢ1〜Ｂmのうち対応するブロックＢ1〜Ｂmを構成する単位セルＣ11〜Ｃmnのみから電源供給を受けて動作する。即ち、上述した電圧検出回路１１〜１ｍは、対応するブロックＢ1〜Ｂmのマイナス側がグランドレベルになり、互いに異なるグランドレベルとなっている。これにより電圧検出回路１１〜１ｍを構成するデバイスの耐圧を下げることができる。
【００２５】
電圧検出回路１１〜１ｍはそれぞれ単位セルＣ11〜Ｃmnの両端電圧を検出する差動増幅器ＯＰと、各ブロックＢ1〜Ｂmを構成する単位セルＣ11〜Ｃmnの一つの両端を差動増幅器ＯＰに接続する選択スイッチ群２４と、差動増幅器ＯＰが検出した両端電圧をデジタル変換するＡ／Ｄ変換器２２と、上記選択スイッチ群２４を制御する制御部としての高圧系ＣＰＵ２５とを備えている。上記選択スイッチ群２４は単位セルＣ11〜Ｃmnの両端に設けられたスイッチから構成されている。
【００２６】
また、上記電圧検出装置は、第１通信ラインとしての送信ラインＬ11及び受信ラインＬ12と、絶縁インタフェースとしての送信用絶縁インタフェースＩＦ11及び受信用絶縁インタフェースＩＦ12と、通信ラインＬ2とを備えている。送信ラインＬ11及び受信ラインＬ12は各々、電圧検出回路１１（＝複数の電圧検出手段の一つに相当）の高圧系ＣＰＵ２５と低圧系ＣＰＵ３０との間に設けられている。
【００２７】
送信用絶縁インタフェースＩＦ11は、送信ラインＬ11上に設けられ電圧検出回路１１の高圧系ＣＰＵ２５と低圧系ＣＰＵ３０との間を絶縁した状態で接続する。受信用絶縁インタフェースＩＦ12は、受信ラインＬ12上に設けられ電圧検出回路１１の高圧系ＣＰＵ２５と低圧系ＣＰＵ３０との間を絶縁した状態で接続する。
【００２８】
この送信用絶縁インタフェースＩＦ11及び受信用絶縁インタフェースＩＦ12により、高圧バッテリＢHと低圧バッテリＢLとの絶縁を保つことができる。送信用絶縁インタフェースＩＦ11及び受信用絶縁インタフェースＩＦ12としては、例えば発光素子及び受光素子から成るフォトカプラといった光を媒体にしたものや、磁気カプラといった磁気を媒体にしたものが公知である。通信ラインＬ2は、電圧検出回路１１と電圧検出回路１２〜１ｍ（＝複数の電圧検出手段の残りに相当）との間に設けられている。
【００２９】
上述した構成の組電池の電圧検出装置の動作について図２〜図４を参照して以下説明する。図２は、図１に示す組電池の電圧検出装置を構成する低圧系ＣＰＵ３０の異常検出処理手順を示すフローチャートである。図３は、図１に示す組電池の電圧検出装置を構成する電圧検出回路１１の高圧系ＣＰＵ２５の異常検出処理手順を示すフローチャートである。図４は、図１に示す組電池の電圧検出装置を構成する電圧検出回路１２〜１ｍの高圧系ＣＰＵ２５の異常検出処理手順を示すフローチャートである。
【００３０】
まず、低圧系ＣＰＵ３０は、車両のイグニッションオフに応じて均等化手段として働き、複数の電圧検出回路１１〜１ｍに各単位セルＣ11〜Ｃmnの両端電圧を検出させる。そして、低圧系ＣＰＵ３０は、この検出した各単位セルＣ11〜Ｃmnの両端電圧に基づいて単位セルＣ11〜Ｃmnを均等化させる。均等化方法としては、コンデンサを用いて両端電圧の高い単位セルＣ11〜Ｃmnの電荷を両端電圧の低い単位セルＣ11〜Ｃmnに移動させるチャージポンプ方式や、両端電圧の高い単位セルＣ11〜Ｃmnを放電させる放電方式などが考えられる。
【００３１】
その後、車両のイグニッションがオンされると、低圧系ＣＰＵ３０は、異常検出処理条件が成立したと判断して（図２のステップＳ１でＹ）、次のステップＳ２に進む。イグニッションのオフの間、高圧バッテリＢHはほとんど充電も放電も行われない。このため、イグニッションがオンした時点では、イグニッションオフに応じて均等化が行われているので、複数の電圧検出回路１１〜１ｍが正常であれば複数の電圧検出回路１１〜１ｍにより検出された単位セルＣ11〜Ｃmnの両端電圧は同じ値となる。
【００３２】
次のステップＳ２において、低圧系ＣＰＵ３０は、電圧検出回路１１に対して検出命令を送信する。検出命令は、送信ラインＬ11、送信用絶縁インタフェースＩＦ11を介して電圧検出回路１１の高圧系ＣＰＵ２５に送信される。電圧検出回路１１の高圧系ＣＰＵ２５は、検出命令を受信すると（図３のステップＳ７）、電圧検出回路１２〜１ｍに対して同期信号を送信する（図３のステップＳ８）。
【００３３】
その後、電圧検出回路１１の高圧系ＣＰＵ２５は、対応するブロックＢ1の最下位の単位セルＣ11（以下最下位の単位セルを最下位セルと略記する）の両端電圧を検出する（図３のステップＳ９）。このステップＳ９において電圧検出回路１１の高圧系ＣＰＵ２５は、まず選択スイッチ群２４を制御してブロックＢ1の最下位セルＣ11の両端を差動増幅器ＯＰに接続する。
【００３４】
これにより、差動増幅器ＯＰが最下位セルＣ11の両端電圧を出力し、Ａ／Ｄ変換器２２が最下位セルＣ11の両端電圧をデジタル変換する。電圧検出回路１１の高圧系ＣＰＵ２５は、Ａ／Ｄ変換器２２からの出力を最下位セルＣ11の両端電圧として検出する。
【００３５】
また、上述した同期信号は、通信ラインＬ2を介して電圧検出回路１２〜１ｍの高圧系ＣＰＵ２５に送信される。電圧検出回路１２〜１ｍの高圧系ＣＰＵ２５は、同期信号を受信すると（図４のステップＳ１２でＹ）、対応するブロックＢ2〜Ｂmの最下位セルＣ21〜Ｃm1の両端電圧を検出する（図４のステップＳ１３）。このステップＳ１３において電圧検出回路１２〜１ｍの高圧系ＣＰＵ２５は、まず選択スイッチ群２４を制御してブロックＢ2〜Ｂmの最下位セルＣ21〜Ｃm1の両端を差動増幅器ＯＰに接続する。
【００３６】
これにより、差動増幅器ＯＰが最下位セルＣ21〜Ｃm1の両端電圧を出力し、Ａ／Ｄ変換器２２が最下位セルＣ21〜Ｃm1の両端電圧をデジタル変換する。電圧検出回路１２〜１ｍの高圧系ＣＰＵ２５は、Ａ／Ｄ変換器２２からの出力を最下位セルＣ21〜Ｃm1の両端電圧として検出する。
【００３７】
次に、各電圧検出回路１２〜１ｍの高圧系ＣＰＵ２５は、電圧検出回路１１に対してステップＳ１３で検出した最下位セルＣ21〜Ｃm1の両端電圧を送信した後（図４のステップＳ１４）、ステップＳ１２に戻る。最下位セルＣ21〜Ｃm1の両端電圧は、通信ラインＬ2を介して電圧検出回路１１の高圧系ＣＰＵ２５に送信される。
【００３８】
電圧検出回路１１の高圧系ＣＰＵ２５は、電圧検出回路１２〜１ｍが検出した最下位セルＣ21〜Ｃm1の両端電圧を受信すると（図３のステップＳ１０）、受信した最下位セルＣ21〜Ｃm1と自身が検出した最下位セルＣ11の両端電圧とを低圧系ＣＰＵ３０に対して送信した後（図３のステップＳ１１）、ステップＳ７に戻る。
【００３９】
電圧検出回路１１〜１ｍが検出した最下位セルＣ11〜Ｃm1の両端電圧は、受信ラインＬ12、受信用絶縁インタフェースＩＦ12を介して低圧系ＣＰＵ３０に送信される。低圧系ＣＰＵ３０は、電圧検出回路１１〜１ｍが検出した最下位セルＣ11〜Ｃm1の両端電圧を受信すると（図２のステップＳ３）、各最下位セルＣ11〜Ｃm1を比較して比較値（＝バラツキ）を算出する（図２のステップＳ４）。ここで比較値とは、最下位セルＣ11〜Ｃm1の両端電圧のうち最大と最小との差である。
【００４０】
次に、低圧系ＣＰＵ３０は、算出した比較値が電圧検出回路１１〜１ｍの検出精度によって決定される許容誤差（＝閾値）よりも大きいと（図２のステップＳ５でＹ）、電圧検出回路１１〜１ｍに異常があると判断して、異常処理を行い、上位システムに異常の旨を連絡した後（ステップＳ６）、再びステップＳ１に戻る。これに対して、低圧系ＣＰＵ３０は、算出した比較値が許容誤差以下であれば（図２のステップＳ５でＮ）、電圧検出回路１１〜１ｍは正常であると判断して、直ちにステップＳ１に戻る。
【００４１】
上述した組電池の電圧検出装置によれば、低圧系ＣＰＵ３０が、複数の電圧検出回路１１〜１ｍの各々に最下位セルＣ11〜Ｃm1の両端電圧を検出させ、該検出させた最下位セルＣ11〜Ｃm1の両端電圧の比較に基づいて電圧検出回路１１〜１ｍの異常を検出する。これにより、同程度の精度誤差を含む最下位セルＣ11〜Ｃm1の両端電圧同士を比較することにより正確に電圧検出回路１１〜１ｍの異常を検出することができる。
【００４２】
また、上述した組電池の電圧検出装置によれば、低圧系ＣＰＵ３０がイグニッションのオフに応じて複数の電圧検出回路１１〜１ｍが検出した各単位セルＣ11〜Ｃmnの両端電圧に基づいて単位セルＣ11〜Ｃmnの両端電圧を均等化させ、イグニッションのオンに応じて複数の電圧検出回路１１〜１ｍの各々に最下位セルＣ11〜Ｃm1を検出させている。従って、イグニッションオフ時に単位セルＣ11〜Ｃmnの両端電圧の均等化が行われ、イグニッションオン時は単位セルＣ11〜Ｃmnの両端電圧は概ね均等である。このため、イグニッションオン時に検出された最下位セルＣ11〜Ｃm1の両端電圧のバラツキは電圧検出回路１１〜１ｍの異常によるものと判断でき、より正確に電圧検出回路１１〜１ｍの異常を検出することができる。
【００４３】
また、上述した組電池の電圧検出装置によれば、電圧検出回路１１が同期信号を送信した後に最下位セルＣ11の両端電圧を検出し、電圧検出回路１１〜１ｍが同期信号の受信に応じて最下位セルＣ21〜Ｃm1の両端電圧を検出している。これにより、電圧検出回路１１〜１ｍが同時に最下位セルＣ11〜Ｃm1の両端電圧を検出することができる。従って、低圧系ＣＰＵ３０が同じタイミングで検出された最下位セルＣ11〜Ｃm1の両端電圧同士を比較することができ、より正確に電圧検出回路１１〜１ｍの異常を検出することができる。
【００４４】
また、上述した組電池の電圧検出装置によれば、低圧系ＣＰＵ３０が送信ラインＬ11及び送信用絶縁インタフェースＩＦ11を介して検出命令を電圧検出回路１１に送信し、電圧検出回路１１が検出命令に応じて通信ラインＬ2を介して電圧検出回路１２〜１ｍに対して同期信号を送信し、電圧検出回路１２〜１ｍが同期信号の送信に応じて対応するブロックＢ2〜Ｂmの最下位セルＣ21〜Ｃm1の両端電圧を検出する。これにより、低圧系ＣＰＵ３０と全ての電圧検出回路１１〜１ｍとの間に送信ラインＬ11、受信ラインＬ12、送信用絶縁インタフェースＩＦ11及び受信用絶縁インタフェースＩＦ12をそれぞれ設ける必要がなく、低圧系ＣＰＵ３０と電圧検出回路１１の間だけに送信ラインＬ11、受信ラインＬ12、送信用絶縁インタフェースＩＦ11及び受信用絶縁インタフェースＩＦ12を設けるだけで、各電圧検出回路１１〜１ｍが同時に最下位セルＣ11〜Ｃm1の両端電圧を検出することができ、構成が簡単となりコストダウンを図ることができる。
【００４５】
上述した実施形態では、電圧検出回路１１〜１ｍはブロックＢ1〜Ｂmの最下位セルＣ11〜Ｃm1の両端電圧を検出していたが、本発明はこれに限ったものではない。電圧検出回路１１〜１ｍは、対応するブロックＢ1〜Ｂmを構成する単位セルＣ11〜Ｃmnの一つを検出するものであれば良く、例えば各ブロックＢ1〜Ｂmを構成する単位セルＣ11〜Ｃmnのうち最上位の単位セルＣ1n〜Ｃmnの両端電圧を検出するようにしてもよい。
【００４６】
また、上述した実施形態では、電圧検出回路１１〜１ｍが同時に最下位セルＣ11〜Ｃm1の両端電圧を検出していたが、本発明はこれに限ったものではない。例えば、イグニッションのオンに応じて各ブロックＢ1〜Ｂmの最小セルＣ11〜Ｃmnを順番に検出するものであっても良い。本発明は従来のように全単位セルＣ11〜Ｃmnの両端電圧を検出するものではなく、各ブロックＢ1〜Ｂmの数分の両端電圧を検出するものなので、順次、最下位セルＣ11〜Ｃmnを検出してもその間に高圧バッテリＢHが車両条件によって変化する可能性は低く、正確に電圧検出回路１１〜１ｍの異常を検出することができる。
【００４７】
また、上述した実施形態では、低圧系ＣＰＵ３０と電圧検出回路１１との間に送信ラインＬ11、受信ラインＬ12、送信用絶縁インタフェースＩＦ11及び受信用絶縁インタフェースＩＦ12を設け、電圧検出回路１１と電圧検出回路１２〜１ｍとの間に通信ラインＬ2を設けていたが、本発明はこれに限ったものではない。例えば、コスト的に問題がなければ、低圧系ＣＰＵ３０と電圧検出回路１１〜１ｍの各々との間に送信ラインＬ11、受信ラインＬ12、送信用絶縁インタフェースＩＦ11及び受信用絶縁インタフェースＩＦ12を設けてもよい。
【００４８】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４９】
【図１】本発明の異常検出装置を組み込んだ組電池の電圧検出装置の一実施の形態を示すブロック図である。
【図２】図１に示す組電池の電圧検出装置を構成する低圧系ＣＰＵ３０の異常検出処理手順を示すフローチャートである。
【図３】図１に示す組電池の電圧検出装置を構成する電圧検出回路１１の高圧系ＣＰＵ２５の異常検出処理手順を示すフローチャートである。
【図４】図１に示す組電池の電圧検出装置を構成する電圧検出回路１２〜１ｍの高圧系ＣＰＵ２５の異常検出処理手順を示すフローチャートである。
【符号の説明】
【００５０】
ＢH         高圧バッテリ（組電池）
Ｂ1〜Ｂm    ブロック
Ｃ11〜Ｃmn  単位セル
ＩＦ11      送信用絶縁インタフェース（絶縁インタフェース）
ＩＦ12      受信用絶縁インタフェース（絶縁インタフェース）
Ｌ11        送信ライン（第１通信ライン）
Ｌ12        受信ライン（第１通信ライン）
Ｌ2         通信ライン（第２通信ライン）
１１〜１ｍ  電圧検出回路（電圧検出手段）
３０        低圧系ＣＰＵ（異常検出手段、均等化手段）
【図１】
2008108591.tif 000003
【図２】
2008108591.tif 000004
【図３】
2008108591.tif 000005
【図４】
2008108591.tif 000006